(57)【要約】【課題】照明装置に接続されているカメラへの電力供給を管理する。【解決手段】実施形態に係る照明装置は、照明部と点灯制御部と撮像部と電源部と制御手段とを有する。点灯制御部は、照明部の点消灯制御を行う。電源部は、撮像部へ電力を供給する。制御手段は、撮像部への電力供給または遮断状態を示すステータスを制御する。【選択図】図２
2020145006.tif 000002
【特許請求の範囲】
【請求項１】
照明部と；
前記照明部の点消灯制御を行う点灯制御部と；
撮像部と；
前記撮像部へ電力を供給する電源部と；
前記撮像部への電力供給または遮断状態を示すステータスを制御する制御手段と；
を有することを特徴とする照明装置。
【請求項２】
前記照明部への電力供給または遮断状態を示すステータスを制御する第２の制御手段を備えたことを特徴とする請求項１に記載の照明装置。
【請求項３】
前記撮像部への電力供給または遮断状態を示すステータスまたは前記照明部への電力供給または遮断状態を示すステータスを変更するための制御信号を受信する通信部をさらに備え、前記制御手段は、前記通信部で受信した制御信号に基づき前記撮像部または照明部への電力供給または遮断を制御することを特徴とする請求項１に記載の照明装置。
【請求項４】
前記撮像部への電力供給を遮断しているか否かに応じたステータスまたは前記照明部への電力供給または遮断状態を示すステータスを記憶する記憶部をさらに備えたことを特徴とする請求項１ないし３のいずれか一に記載の照明装置。
【請求項５】
前記通信部は、前記撮像部または前記照明部への電力供給または遮断状態を示すステータスを前記通信部を介して外部へ送信することを特徴とする請求項３に記載の照明装置。
【請求項６】
前記制御手段は、前記撮像部または前記照明部に対する電力供給または遮断を選択的に指示するスイッチであることを特徴とする請求項１ないし５のいずれか一に記載の照明装置。
【請求項７】
前記ステータスは、前記撮像部または前記照明部へ電力を供給した状態で前記撮像部または前記照明部の動作を停止させた状態を含むことを特徴とする請求項１ないし６のいずれか一に記載の照明装置。
【請求項８】
請求項１ないし７のいずれか一に記載の照明装置と；
前記照明装置に接続された前記撮像部または前記照明部のステータスを制御または前記照明装置に接続された前記撮像部または前記照明部のステータスを取得可能なコントローラと；
を具備したことを特徴とする照明システム。
【発明の詳細な説明】
【技術分野】
【０００１】
本発明の実施形態は、照明装置及び照明システムに関する。
【背景技術】
【０００２】
空間に設置された複数の照明装置が照明するエリアをカメラで撮像する照明システムが導入されている。
【先行技術文献】
【特許文献】
【０００３】
【特許文献１】特開２０１７−１６２６８２号公報
【発明の概要】
【発明が解決しようとする課題】
【０００４】
このような照明システムでは、照明装置を消灯し、かつカメラを停止させた状態で人を検出可能なセンサを別途設けることで省電力化を実現することができる。しかしながら、カメラは通信を行うための待機電力を消費しており、カメラの電力供給に関する管理については考慮されていない。
【０００５】
本発明が解決しようとする課題は、照明装置に接続されているカメラへの電力供給を管理することができる照明装置及び照明システムを提供することである。
【課題を解決するための手段】
【０００６】
実施形態に係る照明装置は、照明部と点灯制御部と撮像部と電源部と制御手段とを有する。点灯制御部は、照明部の点消灯制御を行う。電源部は、撮像部へ電力を供給する。制御手段は、撮像部への電力供給または遮断状態を示すステータスを制御する。
【発明の効果】
【０００７】
本発明によれば、照明装置に接続されているカメラへの電力供給の管理を実現できる照明装置及び照明システムを提供することができる。
【図面の簡単な説明】
【０００８】
【図１】図１は、実施形態に係る照明装置の外観例を示す斜視図である。
【図２】図２は、実施形態に係る照明装置の構成の一例を模式的に示すブロック図である。
【図３】図３は、実施形態に係る照明装置の記憶部が記憶するデータの構成例を示す図である。
【図４】図４は、実施形態に係る照明装置の処理の流れを示すフローチャートである。
【発明を実施するための形態】
【０００９】
以下に説明する実施形態に照明装置１は、照明部２と撮像ユニット３と電源制御部７とを有する。電源制御部７は、点灯制御部である第１電源部１３を有するとともに、撮像ユニット３への電力を供給する電源部として機能する。すなわち、電源制御部７は、照明部２の点消灯制御を行うとともに、撮像ユニット３へ電力を供給する。制御手段である制御マイコン１４は、撮像ユニット３への電力供給または遮断状態を示すステータスを制御する。
【００１０】
以下に説明する実施形態に係る照明装置１は、照明部２への電力供給または遮断状態を示すステータスを制御する第２の制御手段としての制御マイコン１４を備える。
【００１１】
以下に説明する実施形態に係る照明装置１は、撮像ユニット３への電力供給または遮断状態を示すステータスまたは照明部２への電力供給または遮断状態を示すステータスを変更するための制御信号を受信する通信部である通信制御部８をさらに備え、制御マイコン１４は、通信制御部８で受信した制御信号に基づき撮像ユニット３または照明部２への電力供給または遮断を制御する。
【００１２】
以下に説明する実施形態に係る照明装置１は、撮像ユニット３への電力供給を遮断しているか否かに応じたステータスまたは照明部２への電力供給または遮断状態を示すステータスを記憶する記憶部１７をさらに備える。
【００１３】
以下に説明する実施形態に係る通信制御部８は、撮像ユニット３または照明部２への電力供給または遮断状態を示すステータスを通信制御部８を介して外部へ送信する。
【００１４】
以下に説明する実施形態に係る制御手段は、撮像ユニット３または照明部２に対する電力供給または遮断を選択的に指示するスイッチＳ１、Ｓ２である。
【００１５】
以下に説明する実施形態に係る照明装置１において、ステータスは、撮像ユニット３または照明部２へ電力を供給した状態で撮像ユニット３または照明部２の動作を停止させた状態を含む。照明装置１は、当該状態を撮像ユニット３または照明部２に対し電力供給している状態及び電力を遮断している状態とは異なる状態として区別して管理する。
【００１６】
以下に説明する実施形態に係る照明システムは、実施形態に係る照明装置１と、コントローラ９とを具備する。コントローラ９は、照明装置１に接続された撮像ユニット３または照明部２のステータスを制御または照明装置１に接続された撮像ユニット３または照明部２のステータスを取得可能である。
【００１７】
以下に、本発明に係る実施形態を図面に基づき説明する。なお、以下に示す実施形態は、本発明が開示する技術を限定するものではない。また、以下に示す実施形態及び変形例は、矛盾しない範囲で適宜組合せることができる。また、以下の説明において、同一構成には同一符号を付与して後出の説明を適宜省略する。
【００１８】
［実施形態］
図１は、実施形態に係る照明装置の外観例を示す斜視図である。図１に示すように、照明装置１は、照明部２、撮像部としての撮像ユニット３、本体部４を有する。照明装置１は、本体部４が天井面へ設置され、照明部２から出力される光が照射面の一例である床面へと照射される天井直付けタイプの照明装置である。照明装置１は、例えば工場での生産ラインの監視やオフィス内での従業員の状態監視などの用途で主に屋内で使用される。
【００１９】
なお、説明を分かりやすくするために、図１には、鉛直下向きを正方向とし、鉛直上向きを負方向とするＺ軸を含む３次元の直交座標系を図示している。また、Ｘ軸は照明装置１の長さ方向に、Ｙ軸は照明装置１の幅方向に、それぞれ沿うように図示している。かかる直交座標系は、後出の説明に用いる他の図面でも示す場合がある。
【００２０】
照明部２は、Ｙ軸方向に沿うように配置された、長尺状のシャーシまたは基板（不図示）上に所定の間隔で配置された複数の発光素子（不図示）を有し、シャーシとの間に発光素子が収容されるよう床面側、すなわちＺ軸正方向側に拡散カバー２０が設けられた照明バーである。
【００２１】
拡散カバー２０は、例えば、アクリルやポリカーボネート等の透光性の材料から作られている。拡散カバー２０は、フロスト処理が施されて複数の発光素子から出射される光を拡散する機能を有するようになっている。なお、拡散カバー２０に適宜拡散材や着色剤を混入させてもよい。
【００２２】
撮像ユニット３は、遮光カバー３０と、後述するカメラとを有し、照明部２のＸ軸負方向側に隣り合うように並んで配置される。
【００２３】
本体部４は、照明部２および撮像ユニット３を保持する。また、本体部４は、照明装置１を天井その他の所定の位置に取り付けるための取付部材を兼ねる。なお、撮像ユニット３は本体部４に対してＸ軸方向の側方に取付可能な構成としてもよい。
【００２４】
遮光カバー３０は、本体部４との間にカメラを覆うように本体部４のＺ軸正方向側に配設される。また、遮光カバー３０は、カメラのレンズと対向する位置に設けられた貫通口を有する。このような遮光カバー３０を配設することで、照明部２の拡散カバー２０から照射された光をカメラのレンズに入り込みにくくすることができる。
【００２５】
次に、照明装置１の機能的構成について説明する。図２は、実施形態に係る照明装置の構成の一例を模式的に示すブロック図である。
【００２６】
図２に示すように、照明装置１は、接続部６、本体部４、照明部２、撮像ユニット３、通信制御部８を備える。接続部６は、照明装置１に電源を供給するための電源線の接続用の端子が配置された端子台である。通信部としての通信制御部８は、ＮＩＣ（Network  Interface  Card）等で実現され、ＬＡＮ（Local  Area  Network）やインターネット等の電気通信回線を介したコントローラ９等の外部の装置と照明装置１との通信を制御する。
【００２７】
なお、コントローラ９は、複数の照明装置１を有する照明システムにおいて、複数の照明装置１を統括して制御する。コントローラ９は、照明装置１に接続された撮像ユニット３または照明部２のステータスを制御または照明装置１に接続された撮像ユニット３または照明部２のステータスを、通信制御部８を介して取得可能である。
【００２８】
本体部４は、接続部６、電源制御部７、通信制御部８を有する。電源制御部７は、第１電源部１３、制御マイコン１４、記憶部１７を有する。
【００２９】
第１電源部１３は、接続部６を介して交流電源２１から供給された交流電力を直流電力に変換して出力する電源回路を有する。交流電源２１は、例えば商用電源である。
【００３０】
また、第１電源部１３は、直流電流を所定の電圧（例えば、５０Ｖ）で照明部２へ給電し、後述する発光素子５の点灯を制御する。第１電源部１３は、点灯制御部の一例であり、本体部４に配設してもよいし照明部２に設ける態様であってもよい。
【００３１】
制御マイコン１４は、第１電源部１３、後述する第２電源部３１、および撮像制御部３２を制御するための処理部である。なお、制御マイコン１４は、撮像部３への電力供給または遮断状態を示すステータスを制御する制御手段として機能するものであってもよい。
【００３２】
照明部２は、複数の発光素子５を有し、第１電源部１３からの供給電力により点消灯制御される。発光素子５は、基板上の配線パターンにそれぞれ接続されており、第１電源部１３から直流出力が供給されることで点灯する。発光素子５は、例えばセラミックスで形成された本体に配設されたＬＥＤチップと、このＬＥＤチップを封止するエポキシ系樹脂やシリコーン樹脂等のモールド用の透光性樹脂とを含む。
【００３３】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光、あるいは白色光を発するものであってもよい。また、透光性樹脂は、乳白色を有し、光を拡散させる拡散部材であってもよい。
【００３４】
また、ＬＥＤは、ＬＥＤチップを直接照明部２が有するシャーシまたは基板に実装するようにしてもよく、また、砲弾型のＬＥＤを実装するようにしてもよく、実装方式や形式は、特に限定されるものではない。
【００３５】
撮像ユニット３は、第２電源部３１、撮像制御部３２、カメラ３３を有する。第２電源部３１は、電源制御部７に接続され、電源制御部７から供給される交流電源または直流電源を所定の電圧（例えば、５Ｖ）に変換し、撮像制御部３２及びカメラ３３へ給電する。なお、電源制御部７と撮像ユニット３との間には、撮像ユニット３に対する電力供給または遮断を選択的に行うためのスイッチＳ１が具備されている。また、第１電源部１３と照明部２との間にはスイッチＳ２、接続部６と本体部４との間にはスイッチＳ３が設けられている。なお、第２電源部３１は撮像ユニット３と一体的に設けられてよいし撮像ユニット３の外部に設けられてもよく、例えば電源制御部７と一体または別体で本体部４に設けられるようにしてもよい。
【００３６】
スイッチＳ１〜Ｓ３は、例えば、プルスイッチやディップスイッチ等のハードウェアスイッチでもよい。また、スイッチＳ１、Ｓ２は制御マイコン１４により制御されるソフトウェアスイッチでもよい。スイッチＳ３のＯＮ、ＯＦＦにより本体部４への電源供給がＯＮ、ＯＦＦされる。スイッチＳ３がＯＮの状態で、スイッチＳ１をＯＮにすることにより、撮像ユニット３へ電力が供給された状態になり、スイッチＳをＯＦＦにすることにより、撮像ユニット３への電力供給が無い状態になる。つまり、スイッチＳ１は、撮像ユニット３への電力供給または遮断状態を示すステータスを制御する制御手段として機能させることができる。このスイッチＳ１により、例えば、交流電源２１から電源制御部７への電力供給が有る場合にも、電源制御部７から照明部２への電力供給の有無とは独立して、電源制御部７から撮像ユニット３への電力供給を遮断して、撮像ユニット３の待機電力の消費を抑止することが可能となる。
【００３７】
なお、撮像部への電力供給または遮断状態を示すステータスを制御する制御手段は少なくともスイッチＳ１または制御マイコン１４のいずれか一方で構成しても良いし、スイッチＳ１及び制御マイコン１４とで制御手段を構成しても良い。また、スイッチＳ１及び制御マイコン１４それぞれが独立に制御手段を構成し、照明装置１にスイッチＳ１及び制御マイコン１４が設けられるようにしてもよい。
【００３８】
さらに、スイッチＳ２により、例えば、交流電源２１から電源制御部７への電力供給が有る場合にも、電源制御部７から撮像ユニット３への電力供給の有無とは独立して、電源制御部７から照明部２への電力供給を遮断して、照明部２の待機電力の消費を抑止することが可能となる。
【００３９】
なお、照明部２への電力供給または遮断状態を示すステータスを制御する制御手段は少なくともスイッチＳ２または制御マイコン１４のいずれか一方で構成しても良いし、スイッチＳ２及び制御マイコン１４とで制御手段を構成しても良い。また、スイッチＳ２及び制御マイコン１４それぞれが独立に制御手段を構成し、照明装置１にスイッチＳ２及び制御マイコン１４が設けられるようにしてもよい。このように、照明部２及び撮像ユニット３への電力供給を独立して制御可能に構成したことにより、照明を点灯させる必要がない場合に照明部２への電力供給を遮断した状態で撮像ユニット３へ電力を供給し、動作させることが可能となる。また、撮像ユニット３を動作させる必要がない場合に、撮像ユニット３への電力供給を遮断した状態で照明部２へ電力を供給し点消灯制御を行うことができる。
【００４０】
撮像制御部３２は、カメラ３３による撮像を制御する。カメラ３３は、例えばＣＣＤ（Charge  Coupled  Device）やＣＭＯＳ（Complementary  Metal  Oxide  Semiconductor）など、電子的に画像を取得する撮像素子と、レンズとを備え、撮像素子およびレンズ等に応じた所定の画角を撮像する。撮像ユニット３は、カメラ３３で撮像された画像を記録させるための記憶部（図示せず）を有してもよい。あるいは、カメラ３３で撮像された画像は、本体部４側に設けられた任意の記録媒体に記憶しても良いし、通信制御部８を介してコントローラ９に送信されてもよい。
【００４１】
記憶部１７は、照明部２及び撮像部３に対する電力供給または遮断状態を示すステータスを記憶する。ここで、照明装置１に記憶されるステータスについて説明する。図３は、実施形態に係る照明装置の記憶部が記憶するデータの構成例を示す図である。
【００４２】
図３に示すように、照明装置１は、撮像ユニット３への電力供給の有無であるステータスを現在の制御状態として記憶する。また、照明装置１は、撮像ユニット３に対する電力供給または遮断状態を示すステータスに対し、照明部２に対する電力供給または遮断状態をステータスとして記憶する。さらに、図３の例では撮像部３と照明部２とが連動動作を行うモード、独立して動作するモードのいずれの状態かを各ステータスの組み合わせ毎に示している。また、図３に示すステータスと制御モードとの対応関係を記憶部１７が記憶しておき、制御マイコン１４は、記憶部１７に記憶された各ステータスの組み合わせに対して予め設定された制御モードを参照し照明部２または撮像ユニット３を制御することができる。
【００４３】
図３に示す例では、例えば、電源制御部７への電力供給が有り（ＯＮ）、撮像ユニット３への電力供給が有る（ＯＮ）場合に、制御モード１〜３の３つの制御モードが設定されている。制御モード１は、撮像ユニット３の制御と独立して照明部２を制御する制御モードである。照明装置１は、制御モード１では、例えば、リモコンやコントローラ９や不図示の外部サーバ等の上位装置からの指示に従って照明部２または撮像ユニット３の制御を行う。
【００４４】
制御モード２は、撮像ユニット３と連動して照明部２を制御する制御モードである。照明装置１は、制御モード２では、例えば、カメラ３３の画像から十分な明るさがあるかを判定し、十分な明るさがない場合には照明部２を点灯させる。
【００４５】
制御モード３は、撮像ユニット３の制御のみを行い、照明部２の制御は行わない制御モードである。照明装置１は、制御モード３では、例えば、ＬＥＤを消灯させる。
【００４６】
また、電源制御部７への電力供給が有り（ＯＮ）、撮像ユニット３への電力供給が無い（ＯＦＦ）場合に、制御モード４，５の２つの制御モードが設定されている。制御モード４は、撮像ユニット３の制御は行わず、照明部２の制御のみを行う制御モードである。照明装置１は、制御モード４では、例えば、リモコンやコントローラ９や不図示の外部サーバ等の上位装置からの指示に従って照明部２の制御を行う。
【００４７】
制御モード５は、照明システムの他の照明装置に接続する周囲のカメラ３３と連動して照明部２を制御する制御モードである。照明装置１は、制御モード５では、例えば、照度センサ等により周囲のカメラ３３に十分な明るさがあるかを推定し、十分な明るさがない場合に照明部２を点灯させる。
【００４８】
また、制御モード６は、電源制御部７への電力供給が無く（ＯＦＦ）、照明部２および撮像部３への電力供給が無く（ＯＦＦ）、撮像ユニット３および照明部２の制御を行わないモードである。
【００４９】
制御マイコン１４は、撮像ユニット３への電力供給と、選択した制御モードに従った照明部２の点灯制御とを行う。制御モードの選択は予め設定しておいてもよいし、任意の手段で変更することができる。また、制御マイコン１４は、電源制御部７から照明部２または撮像部３への電力供給の有無の状態に応じて、照明部２の制御モードを選択するようにしてもよい。
【００５０】
例えば、制御マイコン１４は、撮像ユニット３に対する電力供給を遮断していない場合に、制御モード１を選択し、これに従って、撮像ユニット３と独立して照明部２の点消灯制御を行う。例えば、制御マイコン１４は、リモコンやコントローラ９や不図示の外部サーバ等の上位装置からの指示に従って照明部２の点消灯制御を行う。
【００５１】
また、制御マイコン１４は、撮像ユニット３に対する電力供給を遮断していない場合に、制御モード２を選択し、これに従って、撮像ユニット３と連動して照明部２の点灯制御を行う。例えば、制御マイコン１４は、カメラ３３の画像から十分な明るさがあるかを判定し、十分な明るさがない場合にはＬＥＤを点灯させる。
【００５２】
また、制御マイコン１４は、撮像ユニット３に対する電力供給を遮断していない場合に、制御モード３を選択し、これに従って、照明部２の点消灯制御を行わない。例えば、制御マイコン１４は、照明部２を消灯させる。
【００５３】
また、制御マイコン１４は、撮像ユニット３に対する電力供給を遮断している場合に、制御モード４を選択し、これに従って、照明部２の点消灯制御を行う。例えば、制御マイコン１４は、リモコンやコントローラ９や不図示の外部サーバ等の上位装置からの指示に従って照明部２の点消灯制御を行う。
【００５４】
また、制御マイコン１４は、カメラ３３に対する電力供給を遮断している場合に、制御モード５を選択し、これに従って、照明部２の点消灯制御を行う。例えば、制御マイコン１４は、照度センサ等により周囲のカメラ３３に十分な明るさがあるかを推定し、十分な明るさがない場合にＬＥＤを点灯させる。
【００５５】
このように、例えば、上記の制御モード１が選択された場合には、昼間等で周囲が明るい環境においては、照明部２が消灯している状態でも、カメラ３３を稼働させることが可能となる。また、上記の制御モード２または５が選択された場合には、カメラ３３による撮影の際に、周囲が暗ければ照明部２を点灯させることが可能となる。このように、実施形態の照明装置１によれば、照明システム全体として省電力が可能となる。
【００５６】
図４は、実施形態に係る照明装置の処理の流れを示すフローチャートである。図４のフローチャートは、例えば照明装置１に電力が供給されたタイミングで開始される。図４に示すように、制御マイコン１４は、撮像ユニット３への電力供給が有るかを確認する（ステップＳ１）。
【００５７】
撮像ユニット３への電力供給が有る場合には（ステップＳ１、Ｙｅｓ）、制御マイコン１４は、記憶部１７を参照し、予め設定されたカメラ３３の電力供給が有る（ＯＮ）場合のステータスに対応する制御モードを選択する（ステップＳ２）。また、制御マイコン１４は、選択した制御モードに従って、照明部２の制御を行う（ステップＳ４）。
【００５８】
また、撮像ユニット３への電力供給が無い場合には（ステップＳ１、Ｎｏ）、制御マイコン１４は、記憶部１７を参照し、撮像ユニット３への電力供給が無い（ＯＦＦ）場合のステータスに対応した制御モードを選択する（ステップＳ３）。また、制御マイコン１４は、選択した制御モードに従って、照明部２の制御を行う（ステップＳ４）。これにより、一連の処理が終了する。
【００５９】
このように、実施形態に係る照明装置１は、照明部２と撮像ユニット３と電源制御部７とを有する。電源制御部７は、点灯制御部である第１電源部１３を有するとともに、撮像ユニット３への電力を供給する電源部として機能する。すなわち、電源制御部７は、照明部２の点消灯制御を行うとともに、撮像ユニット３へ電力を供給する。制御手段である制御マイコン１４は、撮像ユニット３への電力供給または遮断状態を示すステータスを制御する。そして、照明装置１は、照明部２への電力供給と撮像ユニット３への電力供給とを別々に管理する。
【００６０】
なお、上記した実施形態のように、照明装置１は、照明部２への電力供給または遮断状態を示すステータスを制御する第２の制御手段としての制御マイコン１４を備えてもよい。
【００６１】
また、上記した実施形態のように、照明装置１は、撮像ユニット３への電力供給または遮断状態を示すステータスまたは照明部２への電力供給または遮断状態を示すステータスを変更するための制御信号を受信する通信部である通信制御部８をさらに備え、制御マイコン１４は、通信制御部８で受信した制御信号に基づき撮像ユニット３または照明部２への電力供給または遮断を制御してもよい。
【００６２】
また、上記した実施形態のように、照明装置１は、撮像ユニット３への電力供給を遮断しているか否かに応じたステータスまたは照明部２への電力供給または遮断状態を示すステータスを記憶する記憶部１７をさらに備えてもよい。
【００６３】
また、上記した実施形態のように、通信制御部８は、撮像ユニット３または照明部２への電力供給または遮断状態を示すステータスを通信制御部８を介して外部へ送信してもよい。
【００６４】
また、上記した実施形態のように、制御手段は、撮像ユニット３または照明部２に対する電力供給または遮断を選択的に指示するスイッチＳ１、Ｓ２でもよい。
【００６５】
また、上記した実施形態のように、ステータスは、撮像ユニット３または照明部２へ電力を供給した状態で撮像ユニット３または照明部２の動作を停止させた状態を含んでもよい。
【００６６】
また、実施形態に係る照明システムは、上記した実施形態に係る照明装置１と、コントローラ９とを具備する。コントローラ９は、照明装置１に接続された撮像ユニット３または照明部２のステータスを制御または照明装置１に接続された撮像ユニット３または照明部２のステータスを取得可能である。
【００６７】
なお、上記した実施形態のように、制御マイコン１４は、撮像ユニット３に対する電力供給を遮断していない場合に、撮像ユニット３と独立して照明部２の点灯制御を行ってもよい。
【００６８】
また、上記した実施形態のように、制御マイコン１４は、撮像ユニット３に対する電力供給を遮断していない場合に、撮像ユニット３と連動して照明部２の点消灯制御を行ってもよい。
【００６９】
また、上記した実施形態のように、制御マイコン１４は、撮像ユニット３に対する電力供給を遮断している場合に、照明部２の点消灯制御を行ってもよい。
【００７０】
また、上記した実施形態のように、照明装置１は、照明部２及び撮像ユニット３に対する電力供給の開始または遮断を選択的に指示するスイッチＳ１、Ｓ２および電源制御部７への電力供給を開始または遮断するためのスイッチＳ３を備えてもよい。
【００７１】
また、上記した実施形態のように、照明装置１が備えるスイッチＳ１、Ｓ２は、制御マイコン１４により制御されるソフトウェアスイッチでもよい。
【００７２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。
【００７３】
例えば、撮像ユニット３に内蔵される第２電源部３１は、ＡＣ／ＤＣまたはＤＣ／ＤＣコンバータとしての機能部であり、必ずしも本発明に含まれなくてもよい。電源制御部７は、第１電源部１３で作られたＤＣを流用して撮像ユニット３に供給してもよいし、別途の電源でＤＣを作ってもよい。スイッチＳ１は機械スイッチであってもよいし、電子部品として構成し、制御マイコン１４でオンオフを切り替えるものであってもよく、必ずしも制御マイコン１４で構成されなくてもよい。これらの実施形態やその変形は、発明の範囲や要旨に含まれると同様に、特許請求の範囲に記載された発明とその均等の範囲に含まれるものである。
【符号の説明】
【００７４】
１  照明装置
２  照明部
３  撮像ユニット
５  発光素子
７  電源制御部
８  通信制御部
９  コントローラ
１３  第１電源部
１４  制御マイコン
１７  記憶部
３１  第２電源部
３３  カメラ
Ｓ１、Ｓ２、Ｓ３  スイッチ
【図１】
2020145006.tif 000003
【図２】
2020145006.tif 000004
【図３】
2020145006.tif 000005
【図４】
2020145006.tif 000006